(57)【要約】【課題】  移動通信システムにおける端末とネットワーク間のコール過程で行われる手続きにおいて、端末とネットワーク間で行われるＰＤＰコンテクストアクティベーション過程中に変数値についての情報を含むことにより、一連の過程手続きを簡略化できるようにした移動通信システムの転送変数交換方法を提供する。【解決手段】  移動通信システムにおける端末とネットワーク間の転送変数を交換する方法において、パラメータ変数値を決定するＸＩＤタグを含むＰＤＰコンテクスト要求メッセージを転送する段階と、前記ＰＤＰコンテクスト要求メッセージを受信し、ＰＤＰコンテクスト許可メッセージを返信する段階とを含んでなる。【選択図】図４
2004312673.tif 000002
【特許請求の範囲】
【請求項１】
移動通信システムにおける端末とネットワーク間の転送変数を交換する方法において、
パラメータ変数値を決定するＸＩＤタグを含むＰＤＰコンテクスト要求メッセージを転送する段階と、
前記ＰＤＰコンテクスト要求メッセージを受信し、ＰＤＰコンテクスト許可メッセージを返信する段階とを含む移動通信システムの転送変数交換方法。
【請求項２】
前記ＸＩＤタグは１ビット以上で構成され、所定のビット組み合わせによってパラメータ変数値として、デフォルト値を使用するか、または最後に使用したパラメータ変数値を使用することを特徴とする請求項１記載の移動通信システムの転送変数交換方法。
【請求項３】
前記ＰＤＰコンテクスト許可メッセージにはＸＩＤタグの使用を所望するＸＩＤタグ応答メッセージが含まれていることを特徴とする請求項１記載の移動通信システムの転送変数交換方法。
【請求項４】
前記ＸＩＤタグは１ビット以上で構成され、所定のビットの組み合わせによってＸＩＤ交渉過程と関連して、端末が提案した方式を行うか、または新しいＸＩＤ交渉過程を行うことを特徴とする請求項３記載の移動通信システムの転送変数交換方法。
【請求項５】
前記パラメータ変数値としてデフォルト値を使用する場合、ネットワークが属する網で定められた値を使用して、ＰＤＰコンテクストアクティベーション過程を行うだけで、直ちに相互にデータ転送が可能になることを特徴とする請求項１または２記載の移動通信システムの転送変数交換方法。
【請求項６】
前記ＸＩＤタグがパラメータ変数値として最後に使用した値を使用する場合、端末とネットワークは最も最近使用したパラメータ変数を格納・記憶する段階と、
前記最も最近使用したにパラメータ変数を使用してＰＤＰコンテクストアクティベーション過程を行うだけで、直ちに端末とネットワーク間のデータ転送が可能になる段階とをさらに含んでなることを特徴とする請求項１または２記載の移動通信システムの転送変数交換方法。
【請求項７】
移動通信システムにおける端末とネットワーク間の転送変数を交換する方法において、
ネットワークは端末からのＰＤＰコンテクスト要求メッセージを受信し、受信メッセージ中に転送変数値を決定するＸＩＤタグが含まれているか否かを判断する第１判断段階と、
前記第１判断結果、ＸＩＤタグが含まれている場合、そのＸＩＤタグが意味することに応じて、端末が提案した方式を使用するか否かを判断する第２判断段階と、
前記第２判断結果、端末が提案した方式を使用する場合、端末が提案した方式により転送変数をセットし、ＰＤＰコンテクスト許可メッセージを端末に転送する段階とを含んでなることを特徴とする移動通信システムの転送変数交換方法。
【請求項８】
前記第２判断結果、端末が提案した方式を使用しない場合、前記ＰＤＰコンテクストアクティベーション過程とＸＩＤ交渉過程とを行う段階をさらに含んでなることを特徴とする請求項７記載の移動通信システムの転送パラメータの交換方法。
【請求項９】
前記ＸＩＤタグは１ビット以上で構成され、ＸＩＤタグによって、端末が提案した方式を行うか、または新しいＸＩＤ交渉過程を行うことを特徴とする請求項７記載の移動通信システムの転送パラメータの交換方法。
【発明の詳細な説明】
【技術分野】
【０００１】
本発明は、移動通信システムにおいて端末とネットワーク間で転送されるパラメータ変数を交換する方法に係り、特に、ＧＳＭやＧＰＲＳ及びＣＤＭＡ方式の移動通信システムにおいて、端末とネットワーク間のコール過程で行われる手続きを簡略化するためにパラメータ変数を交換する移動通信システムの転送変数交換方法に関する。
【背景技術】
【０００２】
従来の移動通信端末の転送データ暗号化技術において、通常の概略的なシステム構成は、図１に示すとおりである。
【０００３】
同図に示すように、移動通信システムは、一般有線電話１７０またはコンピュータ１８０と接続するために、公衆電話交換網（ＰＳＴＮ）／総合情報通信網（ＩＳＤＮ）１６０に接続される移動通信交換局１５０と、前記移動通信交換局１５０に接続される多数の基地局制御器１３０，１４０と、前記基地局制御器１３０，１４０に接続される多数の基地局１１１，１２１と、前記基地局１１１，１２１に無線リンクを介して接続される多数の移動通信端末１１０，１２０とから構成される。
【０００４】
前記多数の基地局１１１，１２１は、多数の移動通信端末１１０，１２０と移動通信交換局１５０との間で無線リンクと有線リンクとに適した信号フォーマットに変換させる役割を果たし、前記移動通信端末１１０，１２０の送受信電界強度（電波受信強度）を測定して移動通信交換局１５０に提供する。
【０００５】
前記多数の基地局制御器１３０，１４０は、多数の基地局１１１，１２１の各要素別機能とセル運用者間の接続手段となり、多数の基地局運用の管理、基地局のハードウェアとソフトウェアのサービス状態の管理、コールトラフィックに対する資源の割り当てと構成、基地局運用に関する情報樹立、基地局運用、監視及び故障に関連した下部装置監視などの機能を行う。
【０００６】
前記移動通信交換局１５０は、多数の基地局制御器１３０，１４０及び多数の移動通信端末１１０，１２０に回線交換サービスを提供し、付加機能としてチャネル切換え（ｈａｎｄｏｆｆ）機能を有している。
【０００７】
このような移動通信システムでは、任意の端末ユーザが移動通信端末１１０，１２０を用いて電話を掛けるか受けると、多数の基地局１１１，１１２のいずれか一つの基地局と接続される。
【０００８】
このように端末とネットワーク間の認証手続き及び暗号化手続きがすべて完了すると、次いで相互に正常的なユーザデータ転送が行われる。
【０００９】
前記ＧＰＲＳの場合、ユーザデータを転送するためにコール（ｃａｌｌ）過程を行う。
【００１０】
前記コール過程では、ＰＤＰコンテクストアクティベーション（Ｐａｃｋｅｔ  Ｄａｔａ  Ｐｒｏｔｏｃｏｌ  Ｃｏｎｔｅｘｔ  Ａｃｔｉｖａｔｉｏｎ）を行う。
【００１１】
前記コール過程後、データ転送に必要な各種パラメータ（Ｐａｒａｍｅｔｅｒ）変数値を、端末とネットワーク間の交渉によって決定する。
【００１２】
前記交渉とは、ＸＩＤ交渉（ｅＸｃｈａｎｇｅ  ＩＤｅｎｔｉｆｉｅｒ  Ｎｅｇｏｔｉａｔｉｏｎ）であって、端末とネットワーク間で相互にやり取りする交渉のことである。
【００１３】
前記過程は順次行われ、前記コール過程とＸＩＤ交渉過程を行った後、実際的なユーザデータ転送が端末とネットワーク間で行われる。
【００１４】
この際、前記ＰＤＰコンテクストアクティベーション過程では、適切なユーザ認証及びＡＰＮ（Ａｃｃｅｓｓ  Ｐｏｉｎｔ  Ｎａｍｅ）値、ＩＰアドレス（Ｉｎｔｅｒｎｅｔ  Ｐｒｏｔｏｃｏｌ  Ａｄｄｒｅｓｓ）割り当てなどＰＤＰコンテクストアクティベーションに必要な手続きが行われる。
【００１５】
前記ＰＤＰコンテクストアクティベーション過程の後、ユーザ端末を用いたユーザデータ転送に最適の状態を作るために、各プロトコルレイヤー（Ｐｒｏｔｏｃｏｌ  Ｌａｙｅｒ）に必要なパラメータ変数値を端末とネットワーク間で相互に交換する。
【００１６】
前記交換されるパラメータ変数値には、圧縮有無及び転送データの大きさなど転送に必要な様々なパラメータ変数値が該当される。
【００１７】
前記ＰＤＰコンテクストアクティベーション過程及びＸＩＤ交渉過程が完了すると、ユーザ端末を用いた実質的なデータ転送が行われる。
【００１８】
図２は従来の技術であって、端末とネットワーク間で行われるＧＰＲＳデータコール（ＰＤＰ  Ｃｏｎｔｅｘｔ  Ａｃｔｉｖａｔｉｏｎ）及び変数交換（ＸＩＤ  Ｎｅｇｏｔｉａｔｉｏｎ）についての手続きを示す。
【００１９】
端末１０から開始されるＰＤＰコンテクストアクティベーション或いはネットワーク２０から開始されるＰＤＰコンテクストアクティベーションの場合、端末１０は、前記ＰＤＰコンテクストアクティベーション（ＧＰＲＳ  Ｄａｔａ  Ｃａｌｌ）を開始するＰＤＰコンテクスト要求（Ａｃｔｉｖａｔｅ  ＰＤＰ  Ｃｏｎｔｅｘｔ  Ｒｅｑｕｅｓｔ）メッセージ２０１を、ネットワーク２０に転送する。
【００２０】
前記ネットワーク２０は端末１０からの前記ＰＤＰコンテクスト要求メッセージ２０１を受信し、認証されたユーザの、正確な情報でＰＤＰコンテクストアクティベーションを要求した端末１０に限って、ＰＤＰコンテクストアクティベーションを許可するＰＤＰコンテクスト許可（Ａｃｔｉｖａｔｅ  ＰＤＰ  Ｃｏｎｔｅｘｔ  Ａｃｃｅｐｔ）メッセージ２０２をその端末１０に転送する。
【００２１】
前記端末１０はネットワーク２０からの前記ＰＤＰコンテクスト許可メッセージ２０２０を受信することにより、ＩＰアドレス（Ｉｎｔｅｒｎｅｔ  Ｐｒｏｔｏｃｏｌ  Ａｄｄｒｅｓｓ）など転送に必要な基本情報を得る。
【００２２】
一方、前記端末１０は、前記過程以後、転送に必要なプロトコル変数であるＳＤＮＣＰ（ＳｕｂＮｅｔｗｏｒｋ  Ｄｅｐｅｎｄｅｎｔ  Ｃｏｎｖｅｒｇｅｎｃｅ  Ｐｒｏｔｏｃｏｌ）パラメータとＬＬＣ（Ｌｏｇｉｃａｌ  Ｌｉｎｋ  Ｃｏｎｔｒｏｌ）パラメータなどを相互に交渉するためにＸＩＤ交渉過程を行う。
【００２３】
この際、前記端末１０は必要なそれぞれの変数をＸＩＤ交渉要求（ＸＩＤ  Ｎｅｇｏｔｉａｔｉｏｎ  Ｒｅｑｕｅｓｔ）メッセージ２０３に入れてネットワーク２０に転送する。
【００２４】
前記ネットワーク２０は端末１０からの前記ＸＩＤ交渉要求メッセージ２０３を受信し、前記端末１０からの変数或いはネットワーク２０で決定した変数を決定した後、これに対する応答メッセージをＸＩＤ交渉応答（ＸＩＤ  Ｎｅｇｏｔｉａｔｉｏｎ  Ｒｅｓｐｏｎｓｅ）メッセージ２０４として端末１０に転送する。
【００２５】
前記端末１０はネットワーク２０からの前記ＸＩＤ交渉応答メッセージ２０４を受信し、これによりＰＤＰコンテクストアクティベーションとＸＩＤ交渉などの一連の過程が完了する。次いで、交換された変数値にあわせてユーザデータをパケット化し、端末１０とネットワーク２０とのデータ転送が可能となる。
【００２６】
ところが、かかる従来の技術は、ＰＤＰコンテクストアクティベーション手続きと変数交換手続き（ＸＩＤ  Ｎｅｇｏｔｉａｔｉｏｎ）を分離して処理するので、ユーザデータ転送に２回の処理過程が必要とされる。
【００２７】
このように２回の過程を行うので、場合によっては不要であってもその過程が行われるという問題点があり、またユーザデータ転送のための一連の過程を完了するのには多少の時間がかかってしまうという問題点がある。
【発明の開示】
【発明が解決しようとする課題】
【００２８】
したがって、本発明は、かかる従来の問題点を解決するためのもので、移動通信システムにおける端末とネットワーク間のコール過程で行われる手続きにおいて、端末とネットワーク間で行われるＰＤＰコンテクストアクティベーション過程中に変数値についての情報を含むことにより、一連の過程手続きを簡略化できるようにした移動通信システムの転送変数交換方法を提供することにある。
【課題を解決するための手段】
【００２９】
上記目的を達成するために、本発明は、移動通信システムにおける端末とネットワーク間の転送変数を交換する方法において、パラメータ変数値を決定するＸＩＤタグを含むＰＤＰコンテクスト要求メッセージを転送する段階と、前記ＰＤＰコンテクスト要求メッセージを受信し、ＰＤＰコンテクスト許可メッセージを返信する段階とを含んでなる。
【００３０】
ここで、前記ＸＩＤタグは１ビット以上で構成され、所定のビット組み合わせによってパラメータ変数値として、デフォルト値を使用するか、または最後に使用したパラメータ変数値を使用することが望まれる。また、前記ＸＩＤタグは、所定のビットの組み合わせによってＸＩＤ交渉過程と関連して、端末が提案した方式を行うか、または新しいＸＩＤ交渉過程を行うことができる。
【００３１】
前記パラメータ変数値としてデフォルト値を使用する場合、ネットワークが属する網で定められた値を使用して  、ＰＤＰコンテクストアクティベーション過程を行うだけで、直ちに相互にデータ転送が可能になるので、効果が良い。
【００３２】
前記ＰＤＰコンテクスト許可メッセージにはＸＩＤタグの使用を所望するＸＩＤタグ応答メッセージを含ませる。
【００３３】
本発明は、また、移動通信システムにおける端末とネットワーク間の転送変数を交換する方法において、ネットワークは端末からのＰＤＰコンテクスト要求メッセージを受信し、受信メッセージ中に転送変数値を決定するＸＩＤタグが含まれているか否かを判断する第１判断段階と、前記第１判断結果、ＸＩＤタグが含まれている場合、そのＸＩＤタグが意味することに応じて、端末が提案した方式を使用するか否かを判断する第２判断段階と、前記第２判断結果、端末が提案した方式を使用する場合、端末が提案した方式により転送変数をセットし、ＰＤＰコンテクスト許可メッセージを端末に転送する段階とを含んでなる。
【００３４】
前記第２判断結果、端末が提案した方式を使用しない場合、前記ＰＤＰコンテクストアクティベーション過程とＸＩＤ交渉過程とを行う段階をさらに含み、前記ＸＩＤタグは１ビット以上で構成され、ＸＩＤタグによって、端末が提案した方式を行うか、または新しいＸＩＤ交渉過程を行うことで決定される。
【００３５】
変数と関連したＸＩＤタグ値としては２ビット（ｂｉｔ）程度のＸＩＤタグを設定する。例えば、タグ値が“００”であるば変数としてデフォルト（ｄｅｆａｕｌｔ）値を、タグが“１０”であれば変数として最後値を、タグ値が“１１”であれば変数として再交渉値をそれぞれ使用する。
【００３６】
変数としてデフォルト値を使用するということは、ネットワークが属する網で定められた値を使用して，  ＧＳＭ或いはＧＰＲＳシステムの仕様（Ｓｐｅｃ）で定められた値を変数値として使用することを意味ずる。
【００３７】
すなわち、前記ＰＤＰコンテクストアクティベーション過程後にＸＩＤ交渉過程を行うことなく定義された変数値を使用するということである。
【００３８】
この場合、ＰＤＰコンテクストアクティベーション過程を行うだけで、直ちにユーザデータをネットワークと相互に転送できるようになる。
【００３９】
変数として最後値を使用するということは、端末とネットワークが最も最近使用したパラメータ変数を格納していて、新しいＰＤＰコンテクストアクティベーション時に最も最近使用した前記変数値をそのまま使用することを意味する。
【００４０】
変数を再交渉するとならば、端末とネットワークが、互いに通常使用した値と関係なく相互に新しい値を交渉し、データ転送時に使用することになる。
【００４１】
本発明による移動通信システムの転送変数交換方法は、移動通信システムにおける端末とネットワーク間の転送変数を交換する方法において、パラメータ変数値を決定するＸＩＤタグを含むＰＤＰコンテクスト要求メッセージを転送する段階と、前記ＰＤＰコンテクスト要求メッセージを受信し、ＰＤＰコンテクスト許可メッセージを返信する段階とを含み、これにより上記目的を達成する。
【００４２】
前記ＸＩＤタグは１ビット以上で構成され、所定のビット組み合わせによってパラメータ変数値として、デフォルト値を使用するか、または最後に使用したパラメータ変数値を使用することを特徴としてもよい。
【００４３】
前記ＰＤＰコンテクスト許可メッセージにはＸＩＤタグの使用を所望するＸＩＤタグ応答メッセージが含まれていることを特徴としてもよい。
【００４４】
前記ＸＩＤタグは１ビット以上で構成され、所定のビットの組み合わせによってＸＩＤ交渉過程と関連して、端末が提案した方式を行うか、または新しいＸＩＤ交渉過程を行うことを特徴としてもよい。
【００４５】
前記パラメータ変数値としてデフォルト値を使用する場合、ネットワークが属する網で定められた値を使用して、ＰＤＰコンテクストアクティベーション過程を行うだけで、直ちに相互にデータ転送が可能になることを特徴としてもよい。
【００４６】
前記ＸＩＤタグがパラメータ変数値として最後に使用した値を使用する場合、端末とネットワークは最も最近使用したパラメータ変数を格納・記憶する段階と、前記最も最近使用したにパラメータ変数を使用してＰＤＰコンテクストアクティベーション過程を行うだけで、直ちに端末とネットワーク間のデータ転送が可能になる段階とをさらに含んでなることを特徴としてもよい。
【００４７】
本発明による移動通信システムの転送変数交換方法は、移動通信システムにおける端末とネットワーク間の転送変数を交換する方法において、ネットワークは端末からのＰＤＰコンテクスト要求メッセージを受信し、受信メッセージ中に転送変数値を決定するＸＩＤタグが含まれているか否かを判断する第１判断段階と、前記第１判断結果、ＸＩＤタグが含まれている場合、そのＸＩＤタグが意味することに応じて、端末が提案した方式を使用するか否かを判断する第２判断段階と、前記第２判断結果、端末が提案した方式を使用する場合、端末が提案した方式により転送変数をセットし、ＰＤＰコンテクスト許可メッセージを端末に転送する段階とを含んでなることを特徴とし、これによい上記目的を達成する。
【００４８】
前記第２判断結果、端末が提案した方式を使用しない場合、前記ＰＤＰコンテクストアクティベーション過程とＸＩＤ交渉過程とを行う段階をさらに含んでなることを特徴としてもよい。
【００４９】
前記ＸＩＤタグは１ビット以上で構成され、ＸＩＤタグによって、端末が提案した方式を行うか、または新しいＸＩＤ交渉過程を行うことを特徴としてもよい。
【発明の効果】
【００５０】
本発明は、ＧＰＲＳによりユーザのデータを転送する場合、転送過程に必要なＰＤＰコンテクストアクティベーション過程とＸＩＤ交渉過程を行うが、必要時にはＸＩＤ交渉過程を省略することにより、データ転送のための手続きを簡素化することができるという効果を提供する。
【発明を実施するための最良の形態】
【００５１】
以下、添付図を参照して本発明の好適な実施例を詳細に説明する。
【００５２】
図３は本発明の端末とネットワーク間で行われるＧＰＲＳデータコール（ＰＤＰ  Ｃｏｎｔｅｘｔ  Ａｃｔｉｖａｔｉｏｎ）と変数交換（ＸＩＤ  Ｎｅｇｏｔｉａｔｉｏｎ）についての手続きを示す。
【００５３】
以下、本発明で説明されるＧＳＭやＧＰＲＳ移動通信システムとＧＳＭやＧＰＲＳ移動通信端末は一つの実施例に過ぎないもので、ＣＤＭＡ移動通信システムとＣＤＭＡ移動通信端末などのあらゆる方式の移動通信システムと移動通信端末に幅広く適用することができる。
【００５４】
図３に示すように、まず、端末１０はＰＤＰコンテクストアクティベーション過程を開始する。
【００５５】
前記端末１０はＰＤＰコンテクストを要求（Ａｃｔｉｖｅ  ＰＤＰ  Ｃｏｎｔｅｘｔ  Ｒｅｑｕｅｓｔ）するメッセージ３０１をネットワーク２０に転送する。
【００５６】
前記ＰＤＰコンテクストを要求するメッセージ３０１中にはパラメータ変数の場合を区分できる内容を有する２ビットのＸＩＤタグを含ませて転送する。
【００５７】
前記ＸＩＤタグは本発明の一例として２ビットを使用したが、場合によっては３ビット以上を使用することもできる。
【００５８】
前記２ビットの場合は４つ（００、０１、１０、１１）まで可能である。例えば２つであれば、ＸＩＤ交渉過程と関連して次のように区分する。
【００５９】
第１、デフォルト値を使用する場合。
【００６０】
第２、最後に使用した変数値を使用する場合。
【００６１】
この際、ＸＩＤタグが含まれていなければ、通常の方式のとおりＰＤＰコンタクストアクティベーション過程が行われた後、新たにＸＩＤ交渉を開始するようになる。
【００６２】
前記ネットワーク２０は端末１０からの前記ＰＤＰコンテクストを要求するメッセージ３０１を受信し、ネットワーク２０で決定して応答メッセージであるＰＤＰコンテクストを許可（Ａｃｔｉｖａｔｅ  ＰＤＰ  Ｃｏｎｔｅｘｔ  Ａｃｃｅｐｔ）するメッセージ３０２を端末１０に転送する。
【００６３】
前記ネットワーク２０は前記ＰＤＰコンテクストを許可するメッセージ３０２中に、パラメータ変数の場合を区分できる内容を有する２ビットのＸＩＤタグ応答（Ｔａｇ  Ｒｅｓｐｏｎｓｅ）を含ませて転送することもできる。
【００６４】
例えば、２ビットのタグが２つの内容であれば、ＸＩＤ交渉過程と関連して次の経路に区分する。
【００６５】
第１、端末が提案した方式を使用する。
【００６６】
第２、新たにＸＩＤ交渉過程を行う。
【００６７】
前記手続き中で端末１０とネットワーク２０間に新しいＸＩＤ交渉を決定した場合、端末１０はＸＩＤ交渉と関連したＸＩＤ交渉要求（ＸＩＤ  Ｎｅｇｏｔｉａｔｉｏｎ  Ｒｅｑｕｅｓｔ）メッセージ３０３をネットワーク２０に転送する。
【００６８】
前記ネットワーク２０は端末１０からの前記ＸＩＤ交渉要求メッセージ３０３を受信し、これに応じて適切なパラメータ変数値を選定し、ＸＩＤ交渉応答（ＸＩＤ  Ｎｅｇｏｔｉａｔｉｏｎ  Ｒｅｓｐｏｎｓｅ）メッセージ３０４を端末１０に転送する。
【００６９】
前記手続き中で新しいＸＩＤ交渉過程を決定しない場合、一連のＸＩＤ交渉過程は省略され、端末１０とネットワーク２０間のＸＩＤ交渉に必要な前記ＸＩＤ交渉要求メッセージ３０３及びＸＩＤ交渉応答メッセージ３０４の転送過程は省略される。
【００７０】
ところが、前記ＸＩＤ交渉過程が省略される場合であっても、データ転送に必要な各パラメータ変数値として、端末が提案した方式によりデフォルト値を設定するか、若しくは最後に使用した値を設定する。
【００７１】
これにより、前記端末１０とネットワーク２０間の相互交渉が完了することになり、データ転送が可能となる。
【００７２】
図４は本発明の移動通信システムにおける変数交換過程を示すフローチャートである。
【００７３】
同図に示すように、まず、端末が待機状態４０１でＰＤＰコンテクスト要求メッセージをネットワークに転送する。
【００７４】
前記ネットワークは端末からの前記ＰＤＰコンテクスト要求メッセージを受信し４０２、受信メッセージにＸＩＤタグが含まれているか否かを判断する４０３。
【００７５】
前記判断４０３結果、前記受信メッセージにＸＩＤタグが含まれていなければ、ＰＤＰコンテクスト許可メッセージ４０４を端末に転送する。
【００７６】
前記端末はネットワークからの前記ＰＤＰコンテクスト許可メッセージを受信し、ＸＩＤ交渉要求メッセージを前記ネットワークに転送する。
【００７７】
前記ネットワークは端末からの前記ＸＩＤ交渉要求メッセージを受信し４０５、ＸＩＤ交渉応答メッセージを端末に転送して４０６、手続きを完了する４０７。
【００７８】
前記手続きの完了４０７後、設定された転送パラメータ変数値にあわせてデータが転送される。
【００７９】
前記判断４０３結果、前記受信メッセージにＸＩＤタグが含まれていれば、端末が提案した方式を使用するか否かを判断する４０８。
【００８０】
前記判断４０８結果、端末が提案した方式を使用しない場合、ＰＤＰコンテクスト許可メッセージを端末に転送し４０９、この際、ＸＩＤタグ応答を含ませて転送する。
【００８１】
前記端末はネットワークからの前記ＰＤＰコンテクスト許可メッセージを受信し、ＸＩＤ交渉要求メッセージを前記ネットワークに転送する。
【００８２】
前記ネットワークは端末からの前記ＸＩＤ交渉要求メッセージ受信し４１０、これに相応するＸＩＤ交渉応答メッセージを前記端末に転送して４１１、手続きを完了する４１２。
【００８３】
前記手続きの完了４１２後、所定の設定された転送パラメータ変数値にあわせてデータが転送される。
【００８４】
前記判断４０８結果、端末が提案した方式を使用する場合、端末が提案した方式により転送パラメータ変数をセットする４１３が、この際、変数としてデフォルト値または最後格納値をセットする。
【００８５】
変数として前記デフォルト値または最後格納値をセットした４１３後、ＸＩＤ交渉応答メッセージを含むＰＤＰコンテクスト許可メッセージを端末に転送し４１４、手続きを完了する４１５。
【００８６】
前記手続きの完了４１５後、転送パラメータ変数値にあわせてデータが転送される。
【００８７】
移動通信システムにおける端末とネットワーク間のコール過程で行われる手続きにおいて、端末とネットワーク間で行われるＰＤＰコンテクストアクティベーション過程中に変数値についての情報を含むことにより、一連の過程手続きを簡略化できるようにした移動通信システムの転送変数交換方法を提供する。
【００８８】
移動通信システムにおける端末とネットワーク間の転送変数を交換する方法において、パラメータ変数値を決定するＸＩＤタグを含むＰＤＰコンテクスト要求メッセージを転送する段階と、前記ＰＤＰコンテクスト要求メッセージを受信し、ＰＤＰコンテクスト許可メッセージを返信する段階とを含んでなる。
【００８９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００９０】
【図１】移動通信端末の転送データ過程を示す通常の概略的なシステム構成図である。
【図２】従来の端末とネットワーク間で行われるＧＰＲＳデータコール（ＰＤＰ  Ｃｏｎｔｅｘｔ  Ａｃｔｉｖａｔｉｏｎ）と変数交換（ＸＩＤ  Ｎｅｇｏｔｉａｔｉｏｎ）についての手続きを示す構成図である。
【図３】本発明の端末とネットワーク間で行われるＧＰＲＳデータコール（ＰＤＰ  Ｃｏｎｔｅｘｔ  Ａｃｔｉｖａｔｉｏｎ）と変数交換（ＸＩＤ  Ｎｅｇｏｔｉａｔｉｏｎ）についての手続きを示す構成図である。
【図４】本発明の移動通信システムにおけるパラメータ変数交換過程を示すフローチャートである。
【符号の説明】
【００９１】
１１０  移動通信端末
１１１  基地局
１２０  移動通信端末
１２１  基地局
１３０  基地局制御器
１４０  基地局制御器
１５０  移動通信交換局
１６０  公衆電話交換網（ＰＳＴＮ）／総合情報通信網（ＩＳＤＮ）
１７０  一般有線電話
１８０  コンピュータ
【図１】
2004312673.tif 000003
【図２】
2004312673.tif 000004
【図３】
2004312673.tif 000005
【図４】
2004312673.tif 000006